(57)【要約】      （修正有）【課題】収容物の持ち運びの際の水平姿勢を保持して利便性・快適性を向上させることを可能とする。【解決手段】対向する周壁部２，２と、これら対向する周壁部２，２それぞれの下端と連続すると共にこれら対向する周壁部２，２同士の間に挟まれて底部を構成するガセット部１と、当該ガセット部１と対向する周壁部開口端４と、ガセット部１の山折り稜線１ａの方向Ｘの両端のそれぞれにガセット部１及び周壁部２下側部分と連続して設けられる把手部３と、ガセット部１の山折り稜線１ａの方向Ｘの両端部分のそれぞれに山折り稜線１ａを跨いで形成される切り取り部分と、ガセット部１の山折り稜線１ａの方向Ｘの両端部のそれぞれに切り取り部分を挟んで形成される周壁部開口端４側の周壁封止部２ａ，２ａ及びガセット部１側の把手封止部３ａ，３ａとを有するようにした。【選択図】図１
2015037946.tif 000002
【特許請求の範囲】
【請求項１】
対向する周壁部と、これら対向する周壁部それぞれの下端と連続すると共にこれら対向する周壁部同士の間に挟まれて底部を構成するガセット部と、当該ガセット部と対向する周壁部開口端と、前記ガセット部の山折り稜線の方向の両端のそれぞれに前記ガセット部及び前記周壁部下側部分と連続して設けられる把手部と、前記ガセット部の山折り稜線の方向の両端部分のそれぞれに前記山折り稜線を跨いで形成される切り取り部分と、前記ガセット部の山折り稜線の方向の両端部のそれぞれに切り取り部分を挟んで形成される前記周壁部開口端側の周壁封止部及び前記ガセット部側の把手封止部とを有することを特徴とする水平保持手提げ袋。
【請求項２】
筒型原反素材の軸直角断面において対向する位置にガセット部を形成し、前記筒型原反素材にもとの軸心方向と直交する方向の周壁封止部を離間させて形成すると共に前記ガセット部が形成されている部分に軸心方向と直交する方向の把手封止部を離間させて形成し、前記ガセット部の山折り稜線の一部を少なくとも含む部分を切り取ることを特徴とする水平保持手提げ袋の製造方法。
【請求項３】
対向し下端において連続する周壁部２，２それぞれの両側端から側方に延出する把手部３，３と、対向する周壁部２，２の両側端部の把手部３，３よりも周壁部開口端側に形成される周壁封止部２ａ，２ａ及び把手部３の側端部に形成される把手封止部３ａ，３ａとを有することを特徴とする水平保持手提げ袋。
【発明の詳細な説明】
【技術分野】
【０００１】
本発明は、水平保持手提げ袋及び水平保持手提げ袋の製造方法に関する。さらに詳述すると、本発明は、例えば弁当・惣菜やケーキ・スイーツなどの提供に用いられる包装容器の持ち運びに用いる手提げ袋に適用して好適な構造及び製造方法に関する。
【背景技術】
【０００２】
ポリスチレンやポリプロピレン或いはパルプ等で作られて例えば弁当・惣菜やケーキ・スイーツなどが詰められる天地無用の包装容器を持ち運ぶ際の袋として、ポリエチレン等で作られ、その形状からＵバッグとも、使用場面からレジ袋ともコンビニ袋とも言われる手提げ袋が使用される場合が多い。
【０００３】
上記の包装容器と手提げ袋との組み合わせの場合、持ち運びに際して袋の中に収容した容器の袋の中での位置を固定し、水平姿勢を保持するのが非常に困難であった。
【０００４】
その原因として、従来の手提げ袋の下端には側面同士が綴じられる熱融着封止部があり、この熱融着封止部で折れて閉じ合わされ易くなっており、底部が折れ曲がって畳まれようとする傾向が強い。そして、このように袋としては底部が折れ曲がって畳まれようとする傾向が強いので、袋の中の包装容器の水平姿勢を保持するための袋の大きさと容器の大きさとのフィッティング範囲（言い換えると、組み合わせの好適範囲）が限定的であって狭い。それにもかかわらず、従来の手提げ袋は、下端の熱融着封止部の幅(長さ)で規定される袋の横幅や、襠（ガセットとも呼ばれる）を含めた袋の胴回り(胴囲)の大きさが袋個々の設計上の特定値に固定されており、袋の大きさと容器の大きさとの組み合わせが水平姿勢を保持するための好適範囲を外れることが多い。そして、袋と容器との組み合わせが好適範囲を少しでも外れると、歩行による重心移動が容器に生じたり袋の外側から運搬者の足が当たるなどの外力が容器に加わったりすることにより、袋の中で包装容器が容易に大きく傾き、最終的には袋底部の熱融着封止線上に容器の一側面が沿う形で容器が袋の中で垂直に立ってしまうという問題があった。また、この袋の中での包装容器の傾きの問題は、袋の中に収容した容器の蓋(天面)上に載置した場合の載置位置が不安定な重量物としてペットボトル等が加わることによってより一層増長していた。
【０００５】
このように、好適範囲に入っていない手提げ袋と包装容器との組み合わせやペットボトル等の載置位置が不安定な重量物が更に混載された場合、袋の中で容器が傾斜してしまい、容器の内容物が片寄ることで盛り付けの美観を損ねたり異なる料理の混合が起こったり、また、ソースなどの液状内容物が漏れこぼれたりする等の不都合が生じ、利便性・快適性が高いとは言えないという問題がある。
【０００６】
上述のような問題を解決する為、以下の先行技術では、袋の中に収容した容器の水平姿勢保持の仕組みが提案されている。
【０００７】
具体的には、特許文献１のレジ袋は、袋の中に容器を収容したときの底部となる部分の四隅に水平孔を設け、レジ袋の中に容器を収容したときに当該容器の四隅が前記水平孔に嵌って保持されるようにしている。
【０００８】
また、特許文献２のレジ袋は、周面(側面)の、袋の中に容器を収容したときの容器の縁の位置に切れ目，凹凸，針孔を設け、レジ袋の中に容器を収容したときに当該容器の縁が前記切れ目等に引っ掛かって保持されるようにしている。
【先行技術文献】
【特許文献】
【０００９】
【特許文献１】実用新案登録第３１４６３５３号
【特許文献２】特開２０１０−２８５１７０号
【発明の概要】
【発明が解決しようとする課題】
【００１０】
しかしながら、上記特許文献１の技術によれば、使用される手提げ袋は中に収容する容器のサイズ違いや形状違いに対応する汎用性に欠け、容器のサイズや形状毎にそれぞれ専用の手提げ袋を用意しなければならないという問題がある。
【００１１】
また、上記特許文献２の技術によれば、手提げ袋の中に収容する容器のサイズ違いに対応する汎用性を確保する為には手提げ袋に孔となる切れ目を相当数設けなくてはならないことから、手提げ袋の引っ張り強度確保と容器のサイズ違いに対応する汎用性確保とがトレードオフの関係になり、汎用性を高めようとすると引っ張り強度が低下してしまうという問題がある。また、縁が無いなど容器の形状によっては、手提げ袋の孔となる切れ目が全く機能しない場合があり得るという問題がある。
【００１２】
また、上記特許文献１及び特許文献２のいずれの技術においても、袋の胴囲は容器の胴囲を上回る必要があるため、例えば大盛弁当などのように大きな平面面積を有する容器を収容する際にそれ一品のみの収容でも大きいサイズの袋を使用しなければならず、袋の材料資源やコストの無駄にも繋がるという問題がある。
【００１３】
そこで、本発明は、収容物の持ち運びの際の水平姿勢を保持して利便性・快適性を向上させることができると共に、手提げ用具としての引っ張り強度を確保することができ、さらに、収容物のサイズ違い及び形状違いに対応し得ると共に容器の形状に関係なく収容物の水平姿勢保持機能を発揮し得る高い汎用性を持たせることができる手提げ袋及びその製造方法を提供することを目的とする。
【課題を解決するための手段】
【００１４】
かかる目的を達成するため、請求項１記載の水平保持手提げ袋は、対向する周壁部と、これら対向する周壁部それぞれの下端と連続すると共にこれら対向する周壁部同士の間に挟まれて底部を構成するガセット部と、当該ガセット部と対向する周壁部開口端と、前記ガセット部の山折り稜線の方向の両端のそれぞれに前記ガセット部及び前記周壁部下側部分と連続して設けられる把手部と、前記ガセット部の山折り稜線の方向の両端部分のそれぞれに前記山折り稜線を跨いで形成される切り取り部分と、前記ガセット部の山折り稜線の方向の両端部のそれぞれに切り取り部分を挟んで形成される前記周壁部開口端側の周壁封止部及び前記ガセット部側の把手封止部とを有するようにしている。
【００１５】
したがって、この水平保持手提げ袋によると、底部には封止部が無く、中に物を収容した際の袋の形状が底部の封止部の寸法に影響を受けることが無いので、収容物のサイズや形状に対応・適合し密着して収容・包装することができ、持ち運び時の手提げ袋に対する収容物の位置を固定し水平姿勢が保持されると共に多様なサイズや形状に対応し得る。しかも、周面(側面)に切れ目，凹凸，針孔などを設けることが無いので、手提げ袋としての強度を損なうことが無いと共に、収容物の形状に関係なく当該収容物の水平姿勢保持機能が発揮される。
【００１６】
また、請求項２記載の水平保持手提げ袋の製造方法は、筒型原反素材の軸直角断面において対向する位置にガセット部を形成し、前記筒型原反素材にもとの軸心方向と直交する方向の周壁封止部を離間させて形成すると共に前記ガセット部が形成されている部分に軸心方向と直交する方向の把手封止部を離間させて形成し、前記ガセット部の山折り稜線の一部を少なくとも含む部分を切り取るようにしている。
【００１７】
この水平保持手提げ袋の製造方法によると、上記請求項１記載の水平保持手提げ袋と同様の作用効果を奏する手提げ袋が製造される。
【００１８】
また、請求項３記載の水平保持手提げ袋は、対向し下端において連続する周壁部２，２それぞれの両側端から側方に延出する把手部３，３と、対向する周壁部２，２の両側端部の把手部３，３よりも周壁部開口端側に形成される周壁封止部２ａ，２ａ及び把手部３の側端部に形成される把手封止部３ａ，３ａとを有するようにしている。
【００１９】
したがって、この水平保持手提げ袋によると、底部には封止部が無く、中に物を収容した際の袋の形状が底部の封止部の寸法に影響を受けることが無いので、収容物のサイズや形状に対応・適合し密着して収容・包装することができ、持ち運び時の手提げ袋に対する収容物の位置を固定し水平姿勢が保持されると共に多様なサイズや形状に対応し得る。しかも、周面(側面)に切れ目，凹凸，針孔などを設けることが無いので、手提げ袋としての強度を損なうことが無いと共に、収容物の形状に関係なく当該収容物の水平姿勢保持機能が発揮される。
【発明の効果】
【００２０】
本発明の水平保持手提げ袋及び水平保持手提げ袋の製造方法によれば、制約がない無段階の適合構造を実現して持ち運び時の手提げ袋に対する収容物の位置を固定し水平姿勢を保持することができるので、利便性・快適性の向上を図ることが可能になる。また、多様なサイズや形状に対応することができるので、汎用性の向上を図ることが可能になる。しかも、周面(側面)に切れ目，凹凸，針孔などを設けることが無く強度を損なうことが無いので、手提げ袋としての強度を確保することが可能になる。さらに、収容物の形状に関係なく当該収容物の水平姿勢保持機能を発揮することができるので、この点からも汎用性の向上を図ることが可能になる。
【図面の簡単な説明】
【００２１】
【図１】本発明の水平保持手提げ袋の実施形態の一例を示す図であり、周壁部開口端を閉じた状態（言い換えると、畳んだ状態）の正面図である。
【図２】実施形態の水平保持手提げ袋の周壁部開口端を開いた状態の正面俯瞰図である。
【図３】実施形態の水平保持手提げ袋の周壁部開口端を開いて内部に食品用容器を収容した状態の平面図である。
【図４】実施形態の水平保持手提げ袋の周壁部開口端を開いて内部に食品用容器に加えて飲料用容器を収容した状態の平面図である。
【図５】実施形態の水平保持手提げ袋の内部に食品用容器及び飲料用容器を収容して周壁部開口端を閉じた状態の平面図である。
【図６】実施形態の水平保持手提げ袋の内部に食品用容器及び飲料用容器を収容し周壁部開口端を閉じて把手を持ち上げた状態（即ち、使用状態）の側面俯瞰図である。
【図７】実施形態の水平保持手提げ袋の製造時の裁断加工を説明する図である。
【図８】本発明の水平保持手提げ袋の他の実施形態の一例を示す図であり、周壁部開口端を閉じた状態（言い換えると、畳んだ状態）の正面図である。（Ａ）は周壁封止部間の寸法と把手封止部間の寸法とが同じ場合の例である。（Ｂ）は周壁封止部間の寸法の方が把手封止部間の寸法よりも長い場合の例である。
【図９】本発明の水平保持手提げ袋の更に他の実施形態の一例を示す図であり、周壁部開口端を閉じた状態（言い換えると、畳んだ状態）の正面図である。
【発明を実施するための形態】
【００２２】
以下、本発明の構成を図面に示す実施の形態の一例に基づいて詳細に説明する。
【００２３】
図１から図７に、本発明の水平保持手提げ袋及び水平保持手提げ袋の製造方法の実施形態の一例を示す。この水平保持手提げ袋１０は、対向する周壁部２，２と、これら対向する周壁部２，２それぞれの下端と連続すると共にこれら対向する周壁部２，２同士の間に挟まれて底部を構成するガセット部１と、当該ガセット部１と対向する周壁部開口端４と、ガセット部１の山折り稜線１ａの方向Ｘの両端のそれぞれにガセット部１及び周壁部２下側部分と連続して設けられる把手部３と、ガセット部１の山折り稜線１ａの方向Ｘの両端部分のそれぞれに山折り稜線１ａを跨いで形成される切り取り部分１２，１２と、ガセット部１の山折り稜線１ａの方向Ｘの両端部のそれぞれに切り取り部分１２を挟んで形成される周壁部開口端４側の周壁封止部２ａ，２ａ及びガセット部１側の把手封止部３ａ，３ａとを有する。
【００２４】
本実施形態の水平保持手提げ袋１０は、図１に示すように、周壁部２と、当該周壁部２の下端と連続して設けられるガセット部１と、当該ガセット部１の横両端（図１では左右両端）と連続して設けられる把手部３とを有する。そして、周壁部２の、ガセット部１と対向する端（図１では上端）が周壁部開口端４になっている。
【００２５】
周壁部２，２は、図１に示すように周壁部開口端４が閉じられて手提げ袋１０が折り畳まれた状態において正面と裏面とで対向するものとして構成され、図２に示すように周壁部開口端４が開かれて手提げ袋１０が使用される状態において対向しつつ手提げ袋１０としての一体の側周壁を構成する。
【００２６】
ガセット部１は、図１に示すように周壁部開口端４が閉じられて手提げ袋１０が折り畳まれた状態において対向する周壁部２，２(正面，裏面)に挟まれ山・谷を形成して折り畳まれ、図２に示すように周壁部開口端４が開かれて手提げ袋１０が使用される状態において手提げ袋１０の底部を構成する。なお、本実施形態ではガセット部１は一つの山とこの山の両側の周壁部２，２との間の二つの谷とからなるようにしているが、ガセット部１の山・谷の個数はこれに限られるものではない。
【００２７】
ガセット部１と周壁部２の下端とは、対向する周壁部２，２に挟まれるガセット部１の山折り稜線１ａの方向Ｘ（以下、ガセット稜線方向Ｘという）と直交する方向で連続する。
【００２８】
そして、ガセット部１によって構成される底部と、周壁部２，２によって構成される側周壁とにより、手提げ袋１０の収容空間５が形成される。
【００２９】
把手部３は、ガセット部１及び周壁部２のガセット稜線方向Ｘの両側に、ガセット部１及び周壁部２の下側部分とガセット稜線方向Ｘで連続して設けられる。なお、把手部３では、周壁部２の下側部分から連続する部分とガセット部１から連続する部分とが対向しており、さらに、これらの部分の組み合わせが一方の把手部３において対向（正面，裏面）している。
【００３０】
また、周壁部２は、ガセット稜線方向Ｘの両端部それぞれの、ガセット部１よりも周壁部開口端４側の部分に周壁封止部２ａ，２ａを有する。さらに、把手部３は、ガセット部１や周壁部２とは連続していない方の端部に（言い換えると、ガセット稜線方向Ｘの両端部のそれぞれに）把手封止部３ａ，３ａを有する。なお、これら封止部２ａ，３ａは、対向する周壁部２，２同士を例えば熱融着や接着することによって形成される。
【００３１】
そして、ガセット部１には熱融着等による封止部が形成されないので、本発明は、底部には封止線(封止部)を有しない構造になる。
【００３２】
ここで、本実施形態では、把手封止部３ａは、図１に示すように周壁部開口端４が閉じられて手提げ袋１０が折り畳まれた状態で、ガセット稜線方向Ｘにおいて周壁封止部２ａよりも外側に位置する。すなわち、図１に示すように折り畳まれた状態で、両側の周壁封止部２ａ，２ａ間の寸法（言い換えると、周壁部２のガセット稜線方向Ｘの寸法）Ｌ1の方が、両側の把手封止部３ａ，３ａ間の寸法（言い換えると、周壁部２及び両側の把手部３，３を合わせたガセット稜線方向Ｘの寸法）Ｌ2よりも短く形成される。
【００３３】
なお、手提げ袋１０の全体の大きさ及びガセット部１，周壁部２，把手部３の各方向寸法は、特定の大きさ・値に限定されるものではなく、想定される用途や収容物の形状，大きさ，個数に合わせて適宜設定される。
【００３４】
また、手提げ袋１０は、例えば、ポリエチレンの筒型原反素材を用いて製造される。
【００３５】
具体的には、図７に示すように、筒型原反素材１１の軸直角断面において対向する位置に、山折り稜線１ａが軸心方向になるように軸心に対して山・谷を形成して折られるガセット部１，１が予め形成される。そして、筒型原反素材１１は内側に対向してガセット部１，１が折り畳まれた状態で平らに均される。
【００３６】
そして、ガセット部１，１が形成され折られて平らにされた筒型原反素材１１に、もとの軸心位置（図７の符号１８の位置）を中心とする部分に軸心方向と直交する方向の周壁封止部２ａが所定の間隔（寸法Ｌ1に基づく間隔）で熱融着によって形成されると共に、もとの軸心位置から隔たる両縁部分であってガセット部１が形成されている部分に軸心方向と直交する方向の把手封止部３ａが所定の間隔（寸法Ｌ2に基づく間隔）且つ周壁封止部２ａとの所定の位置関係で熱融着によって形成される。そして、筒型原反素材１１は軸心方向の寸法Ｌ2で軸心方向と直交する方向に切断される（図７における切断線１７，１７）。なお、図７に示す例では、寸法Ｌ2で切断された原形１１ａから二つの手提げ袋１０が製造される。
【００３７】
そして、軸心方向の寸法Ｌ2で切断された原形１１ａを所定枚数重ねて把手部３の形成のための裁断を行う。裁断によって切り取られる切り取り部分（図７において符号１２の斜線部分）は、原形１１ａのガセット稜線方向Ｘ（即ち、筒型原反素材１１の軸心方向）の両端部分において、ガセット部１の山折り稜線１ａの一部を少なくとも含む範囲に設定される。そして、本実施形態では、折られて平らにされた筒型原反素材１１のもとの軸心位置(１８)を中心とする部分に軸心方向と直交する方向に形成される周壁封止部２ａは、この筒型原反素材１１の両縁部分のガセット部１部分にまで達することなく切断される
【００３８】
本実施形態では、周壁封止部２ａ，２ａ間の寸法Ｌ1の方が原形１１ａの寸法である把手封止部３ａ，３ａ間の寸法Ｌ2よりも短いので、周壁封止部２ａ，２ａ間の寸法をＬ1にするに際して不要になる部分も切り取り部分１２として裁断するようにしている。
【００３９】
原形１１ａのガセット稜線方向Ｘの両端部分においてガセット部１の山折り稜線１ａの一部を少なくとも含む範囲に切り取り部分１２を設定して切り取ることにより、周壁部開口端４を上側にして開くことによってガセット部１が拡がり易くなって手提げ袋１０の底部が構成され易くなると共に周壁封止部２ａ，２ａを有する周壁部２によって手提げ袋１０の側周壁が構成され、これらガセット部１による底部と周壁部２による側周壁とによって手提げ袋１０の収容空間５が形成される。
【００４０】
また、ガセット部１の山折り稜線１ａの一部を含むように切り取り部分１２を設定して切り取ることにより、切り取られた部分を穴部とするループ状の把手３が形成される。
【００４１】
最後に、筒型原反素材１１のもとの軸心位置で切断する（図７における切断線１８）ことによって水平保持手提げ袋１０が完成する。
【００４２】
筒型原反素材１１を用いて上述のように手提げ袋１０を製造することにより、筒型原反素材１１上に手提げ袋１０を効率良くレイアウトすることができ、袋の材料資源やコストの無駄を省くことができる。しかしながら、上述の手提げ袋１０の製造方法・製造工程は一例であり、本発明の水平保持手提げ袋の製造方法が上述のものに限定されるわけではない。
【００４３】
上述の水平保持手提げ袋１０は、具体的には例えば図２乃至図６に示すように使用される。まず、図２に示すように、周壁部開口端４を上側にして開き、ガセット部１を拡げる。これにより、収容空間５が形成される。
【００４４】
そして、図３に示すように、例えば一般的な弁当容器のような食品用容器１３を収容空間５に収容する。このとき、図３に示す例のように食品用容器１３の平面縦横の寸法が異なる場合には、容器１３の平面長軸方向がガセット稜線方向Ｘと直角になるように配置することが好ましい。
【００４５】
また、例えばペットボトルのような柱状の飲料用容器１４を更に収容する場合には、図４に示すように、食品用容器１３の上に飲料用容器１４を載せて収容する。このとき、飲料用容器１４の柱軸方向がガセット稜線方向Ｘと平行になるように配置する。しかも飲料用容器１４が一本のみである場合には、ガセット部１の山折り稜線１ａ上に飲料用容器１４の柱軸が位置するように配置する。
【００４６】
続いて、図５に示すように、周壁部２の周壁封止部２ａ，２ａを食品用容器１３及び飲料用容器１４の上方で突き合わせるようにして、周壁部２の上側部分によって食品用容器１３及び飲料用容器１４の上方(天面)を覆うようにする。
【００４７】
そして、図６に示すように、両方の把手部３，３を合わせて持ち上げることによって容器１３，１４の自重で手提げ袋１０の底面及び側周壁のサイズ・形状は自動調整され、手提げ袋１０の底面（即ち、ガセット部１）及び側周壁（即ち、周壁部２）が容器１３，１４の底面及び側面に密着し、容器１３，１４が確実に固定されて水平が保持される。
【００４８】
また、収容物の重量により、手提げ袋１０の底面(ガセット部１)と把手部３とを結ぶテンションの三角形１５，１５が容器１３，１４を挟んで（図６において手前側と奥側とに）対向して形成される。したがって、飲料用容器１４の柱軸方向がガセット稜線方向Ｘと平行になるように配置された場合には、テンションの三角形１５によって飲料用容器１４の柱軸方向両端の頭部と底部とが挟み込まれて固定される（図６中の円１６の位置）。これにより、飲料用容器１４がたとえ円柱形状であっても転がることがないように確実に位置が固定され、手提げ袋１０内の収容物の重心位置が把手部３の概ね真下の位置で安定する。
【００４９】
以上のように構成された水平保持手提げ袋１０によれば、周壁部２に切れ目，凹凸，針孔などを設けることが無いので、手提げ袋としての強度が損なわれることが無い。
【００５０】
また、水平保持手提げ袋１０によれば、底部（即ち、ガセット部１）に封止線(封止部)が無いので、弁当容器のように比較的肉薄の直方体形状の側面を封止線に当てて収容物が垂直に立ってしまうことを防止することができる。
【００５１】
また、水平保持手提げ袋１０によれば、底部(ガセット部１)には封止部が無く、中に物を収容した際の袋の形状が底部の封止部の寸法に影響を受けることが無いので、収容物のサイズや形状に対応・適合し密着して収容・包装することができ、持ち運び時の手提げ袋に対する収容物の位置を固定し水平姿勢を保持することができる。特に、底面(ガセット部１)と把手部３とにより形成されるテンションの三角形によって柱状の飲料用容器の位置を確実に固定することができ、持ち運び時の手提げ袋に対する収容物の位置ずれや姿勢の乱れを確実に防止することができる。
【００５２】
なお、上述の形態は本発明の好適な形態の一例ではあるがこれに限定されるものではなく、本発明の要旨を逸脱しない範囲において種々変形実施可能である。例えば、上述の実施形態では水平保持手提げ袋１０をポリエチレン製としているが、本発明における手提げ袋の材質は、これに限られるものではなく、内容物や使用場面などを考慮して適宜選択される。具体的には例えば、ナイロンや不織布や麻や綿などを用いるようにしても良い。そして、材質によっては、周壁封止部２ａや把手封止部３ａを、接着によって形成するようにしたり、縫製によって形成するようにしたりしても良い。
【００５３】
また、本発明の水平保持手提げ袋の形状・形態は、上述の実施形態として図１乃至図７に示した具体的な形状・形態に限定されるものではない。上述の実施形態に対応するものとしては、少なくとも切り取り部分１２がガセット部１の山折り稜線１ａの方向Ｘの両端部分のそれぞれに山折り稜線１ａを跨いで形成されていれば、他の具体的な形状・形態は適宜アレンジされて良い。
【００５４】
例えば、上述の実施形態では周壁封止部２ａ，２ａ間の寸法Ｌ1よりも把手封止部３ａ，３ａ間の寸法Ｌ2の方が長く形成されるようにしているが、寸法Ｌ1と寸法Ｌ2との大小関係はこれに限られるものではなく、想定される用途や収容物の形状，大きさ，個数に応じ、周壁封止部２ａ，２ａ間の寸法Ｌ1と把手封止部３ａ，３ａ間の寸法Ｌ2とが同じでも良いし（図８(Ａ)；なお、切り取り部分１２がガセット部１の山折り稜線１ａの方向Ｘの両端部分のそれぞれに山折り稜線１ａを跨いで形成されている）、周壁封止部２ａ，２ａ間の寸法Ｌ1の方が把手封止部３ａ，３ａ間の寸法Ｌ2よりも長くても良い（同図(Ｂ)；なお、切り取り部分１２が、ガセット部１の山折り稜線１ａの方向Ｘの両端部分のそれぞれに山折り稜線１ａを跨いで、また、把手封止部３ａ，３ａ間の寸法Ｌ2の方が周壁封止部２ａ，２ａ間の寸法Ｌ1よりも短いので把手封止部３ａ，３ａ間の寸法をＬ2にするに際して不要になる部分も含めて、形成されている）。また、切り取り部分１２の形状は、矩形でも良いし、三角形や楕円形などでも良い。
【００５５】
また、上述の実施形態では、周壁封止部２ａが切り取り部分１２で切断されてガセット部１部分にまでは達しないようにしているが、切り取り部分１２で切断されながらもガセット部１部分にも周壁封止部２ａが及ぶようにしても良い（言い換えると、切り取り部分１２を挟んで周壁封止部２ａ，２ａが形成されているようにしても良い）。
【００５６】
また、上述の実施形態では底部をガセット部１によって構成するようにしているが、ガセット部を有しない形態にしても良い。具体的には、図９に示すように、対向し下端において連続する周壁部２，２それぞれの両側端から側方に延出する把手部３，３と、対向する周壁部２，２の両側端部の把手部３，３よりも周壁部開口端４側に形成される周壁封止部２ａ，２ａ及び把手部３の側端部（言い換えると、周壁部２とは反対側）に形成される把手封止部３ａ，３ａとを有するようにしても良い。なお、図９に示す例では、対向する周壁部２，２同士が下端（即ち、周壁部開口端４と反対側の端）において連続している（折り返されている）。また、この場合には、把手部３を形成するために、把手部３を挟んで、上側（周壁部開口端４側）と下側（周壁部２の下端(底)側）とに切り取り部分１２が設定される。そして、これら切り取り部分１２，１２によって、把手封止部３ａが形成された把手部３は上側と下側との両側が切り取られて開口しているループ状になる。この場合は、対向する周壁部２，２の下側部分が底部１'を構成する。そして、この場合も、上述の実施形態の水平保持手提げ袋１０と同様の作用効果を奏する。
【００５７】
また、上述の実施形態ではガセット部１と周壁部２と把手部３との全てを一体として構成するようにしているが、これらの一部を別体として構成して取り付けるようにしたり、これらの各部各々を別体として構成して組み立てるようにしたりしても良い。そしてこの場合、各部を異なる材質で構成するようにしても良い。
【００５８】
また、例えばエコバッグのように複数回繰り返しての利用が想定される場合などには、使い勝手をより一層向上させるために仕様を追加するようにしても良い。例えば、周壁部２の周壁部開口端４寄りの縁部に、向かい合った周壁部２同士の縁部を接合させて収容物のこぼれ落ち防止を強化するマジックテープ（登録商標）やファスナー，スナップボタン等を設けても良い。また、ガムやチョコ等の小物が収納できるポケットや、スナック等の袋菓子が収納できるネットポケットなどを設けても良い。また、持ち易さを向上するために把手を筒状の芯材で形成しても良い。
【符号の説明】
【００５９】
１  ガセット部（袋の底部）
１ａ  山折り稜線
２  周壁部
２ａ  周壁封止部
３  把手部
３ａ  把手封止部
４  周壁部開口端
１０  水平保持手提げ袋
１２  切り取り部分
【図１】
2015037946.tif 000003
【図２】
2015037946.tif 000004
【図３】
2015037946.tif 000005
【図４】
2015037946.tif 000006
【図５】
2015037946.tif 000007
【図７】
2015037946.tif 000008
【図８】
2015037946.tif 000009
【図９】
2015037946.tif 000010
【図６】
2015037946.tif 000011